(57)【要約】【課題】  簡潔構造で容易にＶＳＷＲを低くすることができる同軸コネクタ用プラグを提供すること。【解決手段】  本発明の同軸コネクタ用プラグ１０は、一方の端部側に同軸ケーブル３０の芯線３３が固定され他方の端部側にコの字形状をしたピン受部２４が形成され、プラグカバー１３に内装されるインシュレータ２１に固定される平面形状のコンタクトプレート２２と、コンタクトプレート２２の一方の端部側の外側にはめられる環状形状の調整リング２５とを備えることとした。【選択図】  図１
2005327692.tif 000002
【特許請求の範囲】
【請求項１】
一方の端部側に同軸ケーブルの芯線が固定され他方の端部側にコの字形状をしたピン受部が形成され、プラグカバーに内装されるインシュレータに固定される平面形状のコンタクトプレートと、前記コンタクトプレートの一方の端部側の外側にはめられる環状形状の調整リングとを備えたことを特徴とする同軸コネクタ用プラグ。
【請求項２】
前記調整リングは、前記同軸ケーブルの硬質外環部の内径と前記同軸ケーブルの芯線の外径との比と、前記プラグカバーの内径と前記同軸ケーブルの前記調整リングの外径との比とを一致させるこことを特徴とする請求項１に記載の同軸コネクタ用プラグ。
【請求項３】
前記コンタクトプレートは、前記ピン受部を円筒形状のピン部として前記同軸コネクタ用プラグを雄型とすることを特徴とする請求項１に記載の同軸コネクタ用プラグ。
【発明の詳細な説明】
【技術分野】
【０００１】  本発明は、簡潔構造で容易にＶＳＷＲを低くすることができる同軸コネクタ用プラグに関する。
【背景技術】
【０００２】  同軸ケーブルが取付けられる同軸コネクタ用プラグは、各種電子機器のパネルなどに固定する同軸コネクタ用ジャックとで同軸コネクタが構成され、同軸コネクタ用ジャック（図示せず）との接続が行われている（例えば、特許文献１参照）。
図５は、従来の同軸コネクタ用プラグの断面図を示す。
図５に示すように、従来の同軸コネクタ用プラグ５０は、プラグカバー５１の中心にインシュレータ６１を介し取り付けられる円筒形状のコンタクト６２の一方の端部側に同軸ケーブル７０の芯線７３が接続され、コンタクト６２の他方の端部側には同軸コネクタ用ジャックのピンが挿入され、同軸コネクタ用ジャックと接続される。円筒形状のコンタクト６２は、同軸ケーブル７０の芯線７３を挿入して取り付ける芯線挿入穴６２ａが形成され、また、芯線７３を取付けるとき挿入し易くするために端部から軸方向に複数のスリット溝６２ｂが形成され、また、芯線７３を挿入したとき固定するためにハンダ固定用穴６２ｃが形成され、さらに、同軸コネクタ用ジャックのピン（図示せず）が挿入され接続されるピン受穴６２ｄが形成されている。
この円筒形状のコンタクト６２は、芯線挿入穴６２ａと、スリット溝６２ｂと、ハンダ固定用穴６２ｃと、ピン受穴６２ｄとを形成するために切削加工が行われコスト高の原因となっていた。また、コンタクト６２は、ピン受穴６２ｄをピンとする雄型のものにも同様の問題があった。
また、同軸コネクタ用プラグにより同軸ケーブルと接続する各種電子機器は、近年特に小型化の傾向が強いものが多く、同軸コネクタ用プラグは、アンプ類を小型にするために、挿入ロスが低く、ＶＳＷＲ（ｖｏｌｔａｇｅ  ｓｔａｎｄｉｎｇ  ｗａｖｅ  ｒａｔｉｏ）がより低いものが求められ、簡潔構造で容易に所望のＶＳＷＲにする必要があった。【０００３】
【特許文献１】      特開２００１−２３７３７号公報
【発明の開示】
【発明が解決しようとする課題】
【０００４】  本発明は、上記に鑑みてなされたものであって、簡潔構造でＶＳＷＲを低くすることができる同軸コネクタ用プラグを提供することを目的とする。
【課題を解決するための手段】
【０００５】  本発明の同軸コネクタ用プラグは、一方の端部側に同軸ケーブルの芯線が固定され他方の端部側にコの字形状をしたピン受部が形成され、プラグカバーに内装されるインシュレータに固定される平面形状のコンタクトプレートと、前記コンタクトプレートの一方の端部側の外側にはめられる環状形状の調整リングとを備えることとした。
また、前記調整リングは、前記同軸ケーブルの硬質外環部の内径と前記同軸ケーブルの芯線の外径との比と、前記プラグカバーの内径と前記同軸ケーブルの前記調整リングの外径との比とを一致させることとした。
さらに、前記コンタクトプレートは、前記ピン受部を円筒形状のピン部として前記同軸コネクタ用をプラグ雄型とすることとした。
【発明の効果】
【０００６】  本発明の同軸コネクタ用プラグは、一方の端部側に同軸ケーブルの芯線が固定され他方の端部側にコの字形状をしたピン受部が形成され、プラグカバーに内装されるインシュレータに固定される平面形状のコンタクトプレートと、前記コンタクトプレートの一方の端部側の外側にはめられる環状形状の調整リングとを備えることとしたため、簡潔構造で容易にＶＳＷＲを低くすることができる。
また、前記調整リングは、前記同軸ケーブルの硬質外環部の内径と前記同軸ケーブルの芯線の外径との比と、前記プラグカバーの内径と前記同軸ケーブルの前記調整リングの外径との比とを一致させることとしたため、より確実にＶＳＷＲを低くすることができる。
さらに、前記コンタクトプレートは、前記ピン受部を円筒形状のピン部として前記同軸コネクタ用を雄型とすることとしたため、雄型の同軸コネクタ用プラグも簡潔構造で容易にＶＳＷＲを低くすることができる。
【発明を実施するための最良の形態】
【０００７】  以下、本発明の実施の形態の同軸コネクタ用プラグにつき図を用いて説明する。
【実施例】
【０００８】  図１は、本発明の実施の形態の同軸コネクタ用プラグの断面図を示す。
図１に示すように、本発明の実施の形態の同軸コネクタ用プラグ１０は、キャップ部１２とこのキャップ部１２が内側に取り付けられる管状形状のカバー部１１とより構成されるプラグカバー１３と、プラグカバー１３に内装されるインシュレータ２１と、環状形状の調整リング２５がプラグキャップ側の外側に固定されインシュレータ２１の中心に圧入され、同軸コネクタ用ジャック４０のピン４１が挿入されるコンタクトプレート２２と、インシュレータ２１に取付けられプラグカバー１３に内装される管状形状のスプリング２３とで構成されている。【０００９】  同軸コネクタ用プラグ１０に取り付けられる同軸ケーブル３０は、セミリジットの同軸ケーブル３０を使用する。このセミリジットの同軸ケーブル３０は、芯線３３が円筒形状の絶縁部３２の中心に設けられ、また、ネジ状またはリング状の突起が外周に形成され塑性変形が可能の例えば銅などの材質よりなる硬質外環部３１が絶縁部３２の外側に設けられ、曲げられたときの形状維持が可能の同軸ケーブルとなっている。
平面形状のコンタクトプレート２２は、キャップ部側の一方の端部側にスリット溝２２ａが形成され、このスリット溝２２ａに同軸ケーブル３０の芯線３３が挿入されるとともに、外側に環状形状の調整リング２５がはめられ、調整リング２５の内側の隙間にハンダを形成し芯線３３と調整リング２５が固定されている。また、コンタクトプレート２２の他方の端部側には、同軸コネクタ用ジャック４０が挿入される先端が内側に向いたコの字形状をしたピン受部２４が形成されている。【００１０】  同軸ケーブル３０と、調整リング２５と、コンタクトプレート２２とは、互いに固定され一体となったケーブル取付コンタクトユニット２０となり、同軸ケーブル３０の端部がキャップ部１２に挿入されて固定されるため硬質外環部３１とプラグカバー１３とは電気的に接続し、また、コンタクトプレート２２は、インシュレータ２１に挿入されてインシュレータ２１とともにプラグカバー１３に内装され固定される。
スプリング２３は、プラグカバー１３に内装するとき、インシュレータ２１との間に挟まれ強固に固定することができる。また、スプリング２３は、内側に向け帯状の凸部２３ｂが形成されていると共に、軸方向に複数のスリット溝２３ａが形成されている。
本発明の実施の形態の同軸コネクタ用プラグ１０は、同軸コネクタのジャック４０が挿入されたときには、複数のスリット溝２３ａによりジャックケース４２をスプリング２３に挿入し易くするとともに、ジャックケース４２がスプリング２３の凸部２３ｂに当接し強固に固定され、スプリング２３とジャックケース４２とは電気的にも接続する。また、ピン受部２４は、同軸コネクタ用ジャック４０のピン４１が挿入され、同軸コネクタ用ジャック４０のピン４１とも電気的に接続し、同軸コネクタ用ジャック４０と同軸コネクタ用ジャック４０と接続が行われる。【００１１】  図２は、本発明の実施の形態の同軸コネクタ用プラグで用いられるケーブル取付コンタクトユニットの構成図を示す。
図２に示すように、ケーブル取付コンタクトユニット２０は、スリット溝２２ａが形成されるとともに、先端が内側に向いたコの字形状のピン受部２４とが形成された平面形状のコンタクトプレート２２と、硬質外環部３１の先端が切断され、芯線３３と円柱形状の絶縁部３２との端部が露出した同軸ケーブル３０と、コンタクトプレート２２の外側にはめられる調整リング２５とで構成されている。
同軸ケーブル３０の芯線３３がコンタクトプレート２２のスリット溝２２ａに挿入されると共に、コンタクトプレート２２の外側に調整リング２５がはめられ、環状形状の調整リング２５の内側の隙間がハンダで埋められ、同軸ケーブル３０と、コンタクトプレート２２と、調整リング２５とは一体となりケーブル取付コンタクトユニット２０が形成される。
ケーブル取付コンタクトユニット２０は、同軸ケーブル３０の端部がキャップ部１２に挿入されて固定されて硬質外環部３１とプラグカバー１３（図１参照）とは電気的に接続し、また、コンタクトプレート２２がインシュレータ２１に挿入されてインシュレータ２１とともにプラグカバー１３に内装され固定される。
調整リング２５は、同軸ケーブル３０の硬質外環部３１の内径３１ｒと同軸ケーブル３０の芯線３３の外径３３ｒとの比と、プラグカバー１３の内径１３ｒ（図１参照）と調整リング２５の外径２５ｒとの比とを外径２５ｒにより一致させることにより、同軸コネクタ用プラグ１０への入力パワーの反射をより確実に低減することができる。
また、コンタクトプレート２２は、平板形状でプレス加工により製造できるため、安価で生産効率の高い量産に向いたものとすることができる。【００１２】  表１は、帰還ロス（ｄＢ）、反射係数Γ、ＶＳＷＲ、挿入ロス（ｄＢ）、反射パワーＰｒ（％）、伝達パワーＰｌ（％）の間の関係デーダを同軸コネクタ用プラグへの入力パワーＰｉｎを１００（％）として示す。【００１３】
【表１】
2005327692.tif 000003
反射パワーＰｒ（％）は入力パワーＰｉｎの反射率とし、反射係数Γは反射パワーＰｒと入力パワーＰｉｎの比の平方とし、伝達パワーＰｌ（％）は負荷への供給パワーとし、デシベル換算値の帰還ロス（ｄＢ）と、ＶＳＷＲと、デシベル換算値の挿入ロス（ｄＢ）は、数１、数２、数３により算出したものである。【００１４】
【数１】
帰還ロス（ｄＢ）＝−１０Ｌｏｇ（Ｐｒ／Ｐｉｎ）＝−１０Ｌｏｇ（１｜Γ｜２）
【００１５】
【数２】
ＶＳＷＲ＝（１＋Γ）／（１−Γ）
【００１６】
【数３】
挿入ロス（ｄＢ）＝−１０Ｌｏｇ（Ｐｌ／Ｐｉｎ）＝−１０Ｌｏｇ（１−｜Γ｜２）
【００１７】  反射パワーＰｒ（％）の減少につれ、反射係数Γと、ＶＳＷＲと、挿入ロス（ｄＢ）は減少し、帰還ロス（ｄＢ）と、伝達パワーＰｌ（％）は増加していることが分かる。
【００１８】  図３は、本発明の実施の形態の同軸コネクタ用プラグで入力高周波信号とＶＳＷＲのデータをグラフにした図を示す。
図３に示すように、同軸コネクタ用プラグで使用される高周波信号は通常４ＧＨｚ以下であるが、４ＧＨｚでもＶＳＷＲは１．３２であり、通常同軸コネクタ用プラグに要求されているＶＳＷＲの１．５を充分下回り高性能を示していることが分かり、また、３．７ＧＨｚ以下ではＶＳＷＲは１．２を下回りさらに高性能となっていることを示している。
【００１９】  図４は、本発明の実施の形態の同軸コネクタ用プラグで調整リングを取外したときの入力高周波信号とＶＳＷＲのデータをグラフにした図を示す。
図４に示すように、本発明の実施の形態の同軸コネクタ用プラグで調整リング２５を取外したときには、高周波信号が４ＧＨｚではＶＳＷＲは１．７６であると共に、全体的にもＶＳＷＲは高く、調整リング２５の取付効果が著しいことが分かる。
【００２０】  以上のように、本発明の実施の形態の同軸コネクタ用プラグは、コンタクトプレート２２が平面形状でプレス加工により製造できるため、安価で生産効率の高い量産に向いたものとすることができ、また、調整リング２５を取付けているため、ＶＳＷＲを極めて低くすることができる。
【００２１】  なお、本発明の実施の形態の同軸コネクタ用プラグでは、セミリジットケーブルを同軸ケーブル用のセミリジットケーブルとして説明したが、一般ケーブル用のセミリジットケーブルとし、一般ケーブル用として使用することもできる。
また、本発明の実施の形態の同軸コネクタ用プラグは、コンタクトプレート２２のピン受部２４に同軸コネクタ用ジャック４０のピン４１が挿入される雌型としたが、コンタクトプレート２２のピン受部２４を円筒形状のピン部として雄型とすることもできる。
【図面の簡単な説明】
【００２２】
【図１】  本発明の実施の形態の同軸コネクタ用プラグの断面図を示す。
【図２】  本発明の実施の形態の同軸コネクタ用プラグで用いられるケーブル取付コンタクトユニットの構成図を示す。
【図３】  本発明の実施の形態の同軸コネクタ用プラグで入力高周波信号とＶＳＷＲのデータをグラフにした図を示す。
【図４】  本発明の実施の形態の同軸コネクタ用プラグで調整リングを取外したときの入力高周波信号とＶＳＷＲのデータをグラフにした図を示す。
【図５】  従来の同軸コネクタ用プラグの断面図を示す。
【符号の説明】
【００２３】  １０  同軸コネクタ用プラグ
１１  カバー部
１２  キャップ部
１３  プラグカバー
２０  ケーブル取付コンタクトユニット
２１  インシュレータ
２２  コンタクトプレート
２３  スプリング
２４  ピン受部
３０  同軸ケーブル
３１  硬質外環部
３３  芯線
【図１】
2005327692.tif 000004
【図２】
2005327692.tif 000005
【図３】
2005327692.tif 000006
【図４】
2005327692.tif 000007
【図５】
2005327692.tif 000008